(57)【要約】【課題】良好な組立作業性及び外観性が得られる被取付部材に対する長手部材の取付構造を提供する。【解決手段】被取付部材に対して長手部材を取り付ける構造において、上記長手部材を、一端部側でツメ固定させる一方、他端部側で上記被取付部材に設けられた取付孔に挿入し、該被取付部材と当接する部分に作用する被取付部材からの反力により保持されることにより、被取付部材に対する取付位置に固定する。【選択図】  図５
2004150740.tif 000002
【特許請求の範囲】
【請求項１】
被取付部材に対して長手部材を取り付ける構造において、
上記長手部材が、一端部側でツメ固定される一方、他端部側で上記被取付部材に設けられた取付孔に挿入され、該被取付部材と当接する部分に作用する被取付部材からの反力により保持されることで、被取付部材に対する取付位置に固定されることを特徴とする長手部材の取付構造。
【請求項２】
上記長手部材が、上記被取付部材からの反力により保持される端部側で、該長手部材の本体の側面から外方へ広がる引っ掛かり片を有しており、
上記引っ掛かり片が、上記長手部材の取付孔からの抜け方向のがたつきが規制されるように、上記被取付部材の長手部材が取り付けられる面の裏面側で、上記取付孔の周縁部に係合することを特徴とする請求項１記載の長手部材の取付構造。
【発明の詳細な説明】
【０００１】
【発明の属する技術分野】
本発明は、パネル等の被取付部材に対する長手部材の取付構造に関する。
【０００２】
【従来の技術】
従来、例えば装飾用若しくは表示用等の成形部材をパネルに固定する方式として、図９の（ａ）及び（ｂ）にそれぞれ示すような溶着固定方式及び接着固定方式が知られている。図９の（ａ）に示す溶着固定方式は、例えば、成形部材５０側の突起部５２を、パネル６０側の孔部６２に差し込み、その状態で、パネル６０の裏面より突出する突起部５２を溶融させ、パネル６０の裏面側に溶着させることにより、また、一方、図９の（ｂ）に示す接着固定方式は、成形部材５０を接着剤７０を介してパネル６０に接着することにより、成形部材５０をパネル６０に対して固定するものである。
【０００３】
これらの固定方式は、組立工数が比較的多いなどの組立面についての短所、また、突起部の溶融や接着剤の塗布を均一に行なうことが難しいなどの品質面についての短所を有している。
【０００４】
これら溶着固定及び接着固定方式と異なる方法として、従来、成形部材及びパネルに係止爪又は孔部のいずれかを設けて、係止爪を孔部に挿入し孔部の周縁部又は孔部内に設けられた係止部等に対して係止させることで、パネルに対する成形部材の固定を行なうツメ固定方式が知られている（例えば特許文献１参照）。
【０００５】
【特許文献１】
特開平１１−１４８６７６号公報  （第３頁，第２図）
【０００６】
【発明が解決しようとする課題】
従来知られるツメ固定方式は、前述した溶着固定及び接着固定方式に比べて組立工数が少ないといった長所を有する反面、成形部材及びパネルの単品の全長寸法や反り等の精度によっては、組立時に必要な力が大きくなったり、目地合わせが不良になったりするなど、組立作業性及び外観性に影響が及ぼされ易いといった短所を有している。これらの短所は、特に成形部材として長手部材を扱う場合にあらわれ易くなる。例えばその両端側にツメを備えた長手部材をパネルに取り付ける構造では、温度変化等によるパネル又は長手部材の反り発生によって、長手部材側のツメの間隔とそれらのツメに対応して形成されたパネル側の取付孔の間隔との差が生じて、組立時に必要な力は相当に大きくなり、また、組立後には長手部材とパネルとが互いに密着しない状態となり、良好な外観性が得られない。かかる問題は、製造段階で管理することが難しい。
【０００７】
本発明は、上記技術的課題に鑑みてなされたもので、被取付部材及びそれに固定される長手部材の単品の全長寸法や反り等の精度の影響を受けにくく、良好な組立作業性及び外観性を得ることができる長手部材の取付構造を提供することを目的とする。
【０００８】
【課題を解決するための手段】
本願の請求項１に係る発明は、被取付部材に対して長手部材を取り付ける構造であって、該長手部材が、一端部側でツメ固定される一方、他端部側で上記被取付部材に設けられた取付孔に挿入され、該被取付部材と当接する部分に作用する被取付部材からの反力により保持されることにより、被取付部材に対する取付位置に固定されることを特徴としたものである。
【０００９】
また、本願の請求項２に係る発明は、請求項１に係る発明において、上記長手部材が、上記被取付部材からの反力により保持される端部側で、該長手部材の本体の側面から外方へ広がる引っ掛かり片を有しており、該引っ掛かり片が、上記長手部材の取付孔からの抜け方向のがたつきが規制されるように、上記被取付部材の長手部材が取り付けられる面の裏面側で、上記取付孔の周縁部に係合することを特徴としたものである。
【００１０】
【発明の実施の形態】
以下、本発明の実施の形態について、添付図面を参照しながら説明する。
図１は、本願の実施の形態に係る空気調和機の正面図である。この空気調和機１は、本体外形をなす筐体として、基本的に、熱交換器，貫流ファン，エアフィルタ（共に不図示）等の各種構成が収納されてなる筐体本体３と、筐体本体３の前面側に開閉可能に取り付けられたフロントパネル１０と、エア吸込口を構成すべく、グリル状に形成され、筐体本体３の上面側に取外し可能に取り付けられた上面パネル４とを有している。
【００１１】
この実施の形態では、フロントパネル１０の表面側に、その左右中央に、表示用長手導光部材２０が垂直方向に取り付けられている。この長手導光部材２０は、フロントパネル１０の裏面側から入射される光により、空気調和機１の運転状態を点灯表示する。また、フロントパネル１０には、長手導光部材２０の下端部を挟んで水平方向に配列される複数の指示部３０ａが形成されている。この指示器３０ａは、フロントパネル１０の裏面側に取り付けられた表示用平板導光部材３０（図３参照）の一部が、フロントパネル１０の下端部近傍に形成された表示孔１６（図２）を介して、表面側に露出してなるもので、長手導光部材２０と同じく、空気調和機１の運転状態を点灯表示する。なお、特に図示しないが、表示用長手導光部材２０及び平板導光部材３０に対応して、筐体本体３側には、空気調和機１の各種の運転状態に応じて光を発する発光素子が配設されている。
【００１２】
図２は、長手導光部材２０及び平板導光部材３０を取り付ける前の状態にあるフロントパネル１０の表面側を部分的に示す斜視図である。フロントパネル１０の表面側には、その左右中央に、長手導光部材１０（図４参照）を受け入れるための、断面略半円形状の溝部１５が垂直方向に形成されている。この溝部１５の下端部に隣接して、長手導光部材２０の取付け時にその一端部が挿入される第１の取付孔１３が形成されている。他方、溝部１５の上端部に隣接して、長手導光部材２０の他端部近傍に設けられた爪受け部２１（図４参照）が挿入されるための第２の取付孔１４が形成されている。そして、第２の取付孔１４の上側には、第２の取付孔１４から挿入された爪受け部２１と係合する爪１８が形成されている。この爪１８の構造については、図６を参照して説明する。
【００１３】
また、溝部１３の下端側に設けられた第１の取付孔１３の左右両側には、前述したように、フロントパネル１０の裏面側に取り付けられた平板導光部材３０の一部を露出させるべく、それぞれ、一組の表示孔１６が形成されている。
【００１４】
更に、図３は、長手導光部材２０及び平板導光部材３０を取り付ける前の状態にあるフロントパネル１０の裏面側を示す斜視図である。フロントパネル１０の裏面側では、その左右中央に、表面側の溝部１５に対応して、溝部形成壁１１が垂直方向に沿って突出しており、この溝部形成壁１１の下端部に隣接して、前述した第１の取付孔１３が位置している。また、この図３からは、第１の取付孔１３の左右両側には、それぞれ、一組の表示孔１６が位置していることが分かるが、これら表示孔１６の各組の左右両側には、平板導光部材３０（仮想線で示す）を取り付けるための溶着用リブ１７が設けられている。更に、フロントパネル１０の裏面側では、ほぼ上下中央に、横リブ１２が水平方向に延びるよう設けられている。
【００１５】
図４は、長手導光部材２０の全体を示すとともに、その上端部及び下端部のそれぞれを拡大して示す図である。この長手導光部材２０は、略円柱状の成形部材である。長手導光部材２０の上端部側では、取付けに際してフロントパネル１０に対向する側に、断面略Ｌ字状をなす爪受け部２１が、その先端部が上方へ延びるように設けられている。
【００１６】
他方、長手導光部材２０の下端部側では、その端部が上方への所定範囲でフロントパネル１０に対向する側を残して欠落されることにより、支持端部２３が形成されている。この支持端部２３は、フロントパネル１０への長手導光部材２０の取付状態で、フロントパネル１０の裏面に当接する。また、この支持端部２３の上方には、取付けに際してフロントパネル１０に対向する側に、光入射用の突起部２４が設けられている。この突起部２４は、長手導光部材２０に対して光が入射される部分であり、光が導光部材２０中に全反射しつつ伝わるように光を導光部材２０本体に導くべく、湾曲した形状を有している。更に、光入射用突起部２４の上方に、長手導光部材２０の本体の両側面から一平面に沿って外方へ広がる一対の引っ掛かり片２５が設けられている。この引っ掛かり片２５は、フロントパネル１０への長手導光部材２０の取付状態で、フロントパネル１０の裏面と略平行に保持される。
【００１７】
図５には、かかる長手導光部材２０がフロントパネル１０に対して取り付けられた状態を示す。フロントパネル１０は、その表面側（図中の左側）に張り出すように、小さな曲率で湾曲した形状を有している。長手導光部材２０は、フロントパネル１０の表面側から、その下端部が第１の取付孔１３に挿入され、その後に、上端部がツメ固定されることにより、フロントパネル１０に対して取り付けられる。長手導光部材２０は、この取付状態で、フロントパネル１０に沿って湾曲し、フロントパネル１０の表面側から浮き上がらないようにその両端側で保持されている。
【００１８】
図６は、図５中の破線で描いた円Ｑ内を詳細に示す断面図である。この図からよく分かるように、フロントパネル１０には、溝部形成壁１４の上端部に隣接して形成される第２の取付孔１４の上側に、フロントパネル１０の裏面側に突出する爪１８が一体的に設けられている。長手導光部材２０は、この爪１８が、長手導光部材２０がフロントパネル１０に取り付けられた状態で、長手導光部材２０側の爪受け部２１と係合することにより、その上端部側でツメ固定される。
【００１９】
図７は、図５中の破線で描いた円Ｒ内を詳細に示す断面図である。また、図８は、図７に関連して、フロントパネル１０への取付状態にある長手導光部材２０の下端部及びその近傍を示す斜視図である。フロントパネル１０への取付けに際し、長手導光部材２０の下端部は、支持端部２３，光入射用の突起部２４及び引っ掛かり片２５を共にフロントパネル１０の裏面側に移動させるようにして、第１の取付孔１３に挿入される。かかる下端部の挿入後に、図６に示したように長手導光部材２０の上端部がツメ固定されて、長手導光部材２０がフロントパネル１０に取り付けられるが、この取付状態で、支持端部２３は、第１の取付孔１３の下側周縁部にてフロントパネル１０の裏面に当接し、光入射用の突起部２４は、筐体本体３（図１参照）の方向に突出し、また、引っ掛かり片２５は、溝部形成壁１１の下側で、フロントパネル１０の裏面と略平行に保持される。
【００２０】
また、この取付状態では、支持端部２３がフロントパネル１０の裏面に当接するのに加え、図７からよく分かるように、長手導光部材２０の本体が、溝部１５の内壁に当接する。これらの長手導光部材２０のフロントパネル１０と当接する部分には、フロントパネル１０からの反力が作用し、この反力に起因する長手導光部材２０とフロントパネル１０との間の摩擦力によって、長手導光部材２０は、その下端側で所望の位置に保持される。
【００２１】
以上のように、長手導光部材２０は、その上端部側でツメ固定される一方、下端部側でフロントパネル１０に設けられた第１の取付孔１３に挿入され、フロントパネル１０と当接する部分に作用するパネル１０からの反力により保持されることにより、フロントパネル１０に対する取付位置に固定される。かかる取付構造によれば、長手導光部材２０が、フロントパネル１０の表面側に密着するように、その下端部側で、第１の取付孔１３に挿入される長さを調整することが可能であり、これにより、フロントパネル１０及び長手導光部材２０の単品の全長寸法や反り等の精度の影響を受けず、良好な外観性を安定して実現することができる。
【００２２】
特にこの実施の形態では、長手導光部材２０を取り付ける被取付部材としてその表面側へ張り出すように湾曲したフロントパネル１０を用いるので、フロントパネル１０に取り付けられた長手導光部材２０本体には弾性力が作用し、この弾性力によって、長手導光部材２０の支持端部２３はフロントパネル１０の裏面に対してより密に当接する。これにより、フロントパネル１０から支持端部２３に作用する反力は大きくなり、その結果、長手導光部材２０はその下端部側で一層堅固に保持され、そのがたつきはより確実に防止される。
【００２３】
また、フロントパネル１０には、温度変化等の種々の要因によって、その表面側に更に張り出す反りやその反対に表面側が後退する反りが発生する場合があるが、前述したような長手導光部材２０の取付構造によれば、フロントパネル１０の表面側に密着するように、長手導光部材２０の下端部側で第１の取付孔１３に対して挿入される長さが調整されることで、これらの反りにも影響されることなく、良好な外観性を実現することができる。
【００２４】
更に、長手導光部材２０やフロントパネル１０の反りによっては、その下端部側で、長手方向上方すなわち第１の取付孔１３からの抜け方向のがたつきが大きくなることがある。この実施の形態では、前述したように長手導光部材２０の下端部近傍に一対の引っ掛かり片２５が設けられており、この引っ掛かり片２５が、第１の取付孔１３からの抜け方向のがたつきが大きい場合に、第１の取付孔１３の上側に位置する溝部形成壁１１の下端部に引っ掛かるように係合することにより、長手導光部材２０の第１の取付孔１３からの抜け方向のがたつきが規制される。これによって、長手導光部材２０やフロントパネル１０に発生する反りが大きい場合にも、長手導光部材２０は所望の位置に保持され、良好な外観性を一層確実に実現することができる。
【００２５】
また、更に、前述した長手導光部材２０の取付構造は、長手導光部材２０が、その一端部側でツメ固定されるものの、その他端部側では、特定の固定方式を用いて固定されない構造であるため、ツメ固定される上端部側に応力が集中することがなく、その応力は第１の取付孔１３に挿入される下端部側に分散させられる。これにより、応力集中によるツメ固定部の強度の低下を抑制することができる。
【００２６】
また、前述した長手導光部材２０の取付構造によれば、従来のツメ固定方式と同様に組立工数が少なく、その上、更に、長手導光部材２０の下端部を第１の取付孔１３に挿入した上で、その下端部が挿入される長さを調整しつつ、長手導光部材２０の上端部側でツメ固定を行なうことができるので、長手導光部材２０の取付けに際して大きな力が必要なく、また、取付けに必要な力を安定化することができる。
【００２７】
なお、本発明は、例示された実施の形態に限定されるものでなく、本発明の要旨を逸脱しない範囲において、種々の改良及び設計上の変更が可能であることは言うまでもない。例えば、前述した実施の形態では、フロントパネルに対して、表示用の長手導光部材を取り付ける例を取り上げたが、これに限定されることなく、本発明は、単なる装飾用の長手部材を取り付ける場合にも適用可能である。また、前述した実施の形態では、空気調和機のフロントパネルを、長手部材を取付ける被取付部材とした例を取り上げたが、これに限定されることなく、本発明は、例えばパソコンやビデオデッキの筐体等、他の部材を被取付部材とした場合にも適用可能である。
【００２８】
【発明の効果】
以上の説明から明らかなように、本願の請求項１に係る発明によれば、長手部材が、一端部側でツメ固定される一方、他端部側で被取付部材に設けられた取付孔に挿入され、該被取付部材と当接する部分に作用する被取付部材からの反力により保持されることで、被取付部材に対する取付位置に固定されるため、取付状態で、長手部材と被取付部材とが互いに密着するように、長手部材の取付孔に挿入される端部側で、挿入される長さを調整することが可能であり、良好な外観性を安定して実現することができる。また、この発明によれば、長手部材において、ツメ固定される端部側に応力が集中することを回避し、その応力を被取付部材の取付孔に挿入される端部側に分散させることができる。その結果、応力の集中による固定部（ツメ固定部）の強度の低下を抑制することができる。
【００２９】
また、本願の請求項２に係る発明によれば、請求項１に係る発明において、上記長手部材が、上記被取付部材からの反力により保持される端部側で、該長手部材の本体の側面から外方へ広がる引っ掛かり片を有しており、該引っ掛かり片が、長手部材の取付孔からの抜け方向のがたつきが規制されるように、被取付部材の長手部材が取り付けられる面の裏面側で、取付孔の周縁部に係合するため、長手部材又は被取付部材に発生する反りが大きい場合にも、長手部材は所望の位置に保持され、良好な外観性を一層確実に実現することができる。
【図面の簡単な説明】
【図１】本願の実施の形態に係る空気調和機の正面図である。
【図２】長手部材を取り付ける前の状態にある空気調和機のフロントパネルの表面側を部分的に示す斜視図である。
【図３】長手導光部材を取り付ける前の状態にある空気調和機のフロントパネルの裏面側を示す斜視図である。
【図４】長手導光部材の全体を示すとともに、その上端部及び下端部近傍のそれぞれを拡大して示す斜視図である。
【図５】フロントパネルに対する長手導光部材の取付構造を示す説明図である。
【図６】図５中の破線で描いた円Ｑ内を詳細に示す図である。
【図７】図５中の破線で描いた円Ｒ内を詳細に示す図である。
【図８】フロントパネルに取り付けられた長手導光部材の下端部近傍を拡大して示す斜視図である。
【図９】従来知られるパネルに対する成形部材の固定方式の例を示す図である。
【符号の説明】
１…空気調和機
１０…フロントパネル
１１…溝部形成壁
１３，１４…取付孔
１５…溝部
１８…爪
２０…長手導光部材
２１…爪受け部
２３…支持端部
２４…光入射用の突起部
２５…引っ掛かり部
【図１】
2004150740.tif 000003
【図２】
2004150740.tif 000004
【図３】
2004150740.tif 000005
【図４】
2004150740.tif 000006
【図５】
2004150740.tif 000007
【図６】
2004150740.tif 000008
【図７】
2004150740.tif 000009
【図８】
2004150740.tif 000010
【図９】
2004150740.tif 000011